(57)【特許請求の範囲】
【請求項１】
本体ケーシングの上面の透明ガラス上に載置された反射原稿を透明ガラスと押さえカバーによって挟んで保持し、本体ケーシングの内部に配置された光源部を副走査方向に移動することにより反射原稿に応じた画像を記録材料に形成すると共に、押さえカバーを透明ガラスの上面から退避させることにより透過原稿用光源を透明ガラスの上面に沿って副走査方向へ移動可能とする透過原稿用光源装置が装着可能な画像形成装置であって、前記透過原稿用光源を副走査方向に移動させる移動機構を収容するケーシングが取付けられる前記透明ガラスに隣接した位置に、前記ケーシングの形状に合わせた台座部を着脱可能に配置し、前記押さえカバーが、該台座部の所定の位置に取付けられることを特徴とする画像形成装置。
【請求項２】
前記透過原稿用光源装置に設けられて前記画像形成装置と前記透過原稿用光源を接続するケーブルが、透過原稿用光源と一体で移動する可動部と前記可動部と略同一の高さに固定された固定部との間で、中間部が前記本体ケーシングの上面に沿って延設されて接続されることを特徴とする請求項１に記載の画像形成装置。
【請求項３】
透明ガラス上に配置された原稿へ照射した光に基づいて、原稿の画像に応じた画像を形成すると共に透過原稿に記録された画像を読取る透過原稿読取装置が取付けられたときに、該透過原稿読取装置によって読取った透過原稿の画像に応じた画像を記録材料に記録可能な画像形成装置であって、上面に前記透明ガラスが嵌め込まれると共に前記透過原稿装置の底部の形状に応じた凹部及び該凹部の所定の位置に透過原稿読取装置の底面から突設された脚部が挿入される小開口部が形成されたケーシングと、前記ケーシングによって囲われて装置内部の部品を支持すると共に、前記凹部内の小開口部から挿入された脚部が連結されることにより前記透過原稿読取装置を固定可能なフレームと、前記ケーシングの凹部へに取り付けられて前記凹部を覆う化粧カバーと、を含むことを特徴とする画像形成装置。
【発明の詳細な説明】
【０００１】
【発明の属する技術分野】
本発明は、反射原稿に応じた画像を形成する画像形成装置に係り、詳細には、透過原稿に応じた画像を形成するための透過原稿用光源装置ないしフィルムスキャナが取付け可能となっている画像形成装置に関する。
【０００２】
【従来の技術】
画像形成装置には、光源から原稿へ向けて照射した光の反射光を画像読取手段によって読取り、読取った画像に応じてレーザービーム等の露光手段によって感光材料ないし感光体を露光することによって、原稿画像に応じた画像を形成するものがある。
【０００３】
このような画像形成装置には、ケーシングの上面に原稿を載置する透明ガラスが設けられ、この透明ガラスの下方から原稿へ向けて光源の光を照射し、反射光を画像読取手段に結像させることにより、原稿の画像（画像データ）を読み込む。このとき、透明ガラスの全面を押えカバーによって覆って押えカバーと透明ガラスの間に原稿を挟んで保持すると共に、光源からの光が漏れたり、不必要に外光が入り込むのを防止している。
【０００４】
このような、押えカバーは、装置の上面にヒンジを介して取付けられており、このヒンジによって透明ガラスを覆う位置と、透明ガラスの上方から退避した位置との間で容易に回動するように（回動させ易いように）取付けられている。
【０００５】
ところで、、画像形成装置には、反射原稿のみならず、透過原稿の画像を読み取るための装置が取り付けられるものがある。透過原稿には、Ａ４サイズの原稿フィルム等の比較的大きいサイズから、３５mmフィルム等の小さいサイズまである。
【０００６】
比較的大きいサイズの透過原稿を読取るときには、装置の上面に透過原稿用の光源ユニットを配置し、この透過原稿ユニットの光源部を、装置内部に同期させて、透過原稿が載置されている透明ガラス上を移動させるようになっている。これにより、透過原稿へ照射された光は、透過原稿及び透明ガラスを透過して、反射原稿を読取るときと同一の光学系によって画像読取手段に結像されるようになっている。
【０００７】
一般に、透過原稿ユニットの光源には、露光用のランプを点灯させる電力や、ランプの発熱による温度上昇を押えるための冷却ファンを駆動する電力などが必要であり、これらの電力が画像形成装置から光源部へ供給される。このため、駆動部内には、一端側が駆動部内に固定され他端側が光源部に接続されたフラットケーブルなどが設けられており、このフラットケーブルを介して移動する光源部へ電力を供給するようになっている。
【０００８】
このようなフラットケーブルは、中間部を湾曲させた状態で固定された端部（固定端）の上方側に移動する端部（可動端）を配置させ、可動端の移動に追従して中間部の湾曲位置が移動するようになっている。
【０００９】
フラットケーブルの中間部が移動するときに、駆動部が収容されているケーシングや内部の部品に接触すると、擦れてケーブルが損傷してしまう。このようなケーブルの損傷を防止するためには、湾曲した状態のケーブルの移動スペースを比較的広く確保する必要がある。特に、ケーブルの中間部の垂れや座屈を防止するためには、剛性を高くする必要があり、このためにケーブルの湾曲径も大きくなり、ケーシングの内部に広い移動スペースを確保する必要があり、このために、透過原稿用光源ユニットの駆動部が大きく（高く）なってしまう。
【００１０】
画像形成装置では、透過原稿用光源装置を取付けた状態でも、反射原稿の画像を読取ることがあり、このためには、押さえカバーが必要となる。このとき、押さえカバーのヒンジの位置に透過原稿ユニットの移動機構が配置されるため、押えカバーは、透過原稿用光源ユニットの駆動部のケーシング上に取付けられるか、この駆動部のケーシングを跨ぐように取付けられる。このために、画像形成装置では、透過原稿用光源ユニットを取付けたときには、押えカバーの交換が必要となっている。
【００１１】
一方、透過原稿の中でも写真フイルム（例えば１３５mmフィルム）の画像の読取りには、フイルムスキャナと呼ばれる専用の画像読取装置が用いられる。すなわち、ネガフィルムは、画像サイズが小さいため、フィルムスキャナを用いて高解像度で読取る必要がある。
【００１２】
画像形成装置では、このようなフィルムスキャナによって読み込んだネガフィルムの画像も記録できるようになっている。
【００１３】
このようなフィルムスキャナの内部には、ネガフィルムの搬送機構や光源等が配置されており、外径寸法の割には、重量が嵩んでしまう。また、画像形成装置の外箱は樹脂によって薄肉に成形されているため、フィルムスキャナを直接外箱に取付けることができない。
【００１４】
このようなフィルムスキャナは、操作性を考慮した場合、箱体の上面に取付けることが好ましいが、箱体の上面には、透明ガラスを嵌め込むための大きな開口が形成されており、この上、フィルムスキャナを嵌め込んで内部のフレームへ固定するための開口を形成すると、箱体の強度が低下してしまう。このため、フィルムスキャナは、画像形成装置の内部のフレームに強固に固定したブラケットを外箱から側方に突出させ、このブラケット上に取付けられる。
【００１５】
すなわち、フィルムスキャナは、画像形成装置のケーシングから突出した片持ち（オーバーハング）状態で取り付けられ、フィルムスキャナを設けることにより画像形成装置の外観品質を大きく損なわれると共に、ケーシングから側方に突出したフィルムスキャナが、作業の邪魔になってしまうことがある。
【００１６】
【発明が解決しようとする課題】
本発明は上記事実に鑑みてなされたものであり、透過原稿用光源装置を取付けたときに、押えカバーを交換しなければならないと言う不具合を防止した画像形成装置及び、透過原稿読取装置を取付けたときにこの透過原稿読取装置が側面から大きく突出することによる外観品質の低下を防止した画像形成装置を提案することを目的とする。
【００１７】
【課題を解決するための手段】
請求項１に係る発明は、本体ケーシングの上面の透明ガラス上に載置された反射原稿を透明ガラスと押さえカバーによって挟んで保持し、本体ケーシングの内部に配置された光源部を副走査方向に移動することにより反射原稿に応じた画像を記録材料に形成すると共に、押さえカバーを透明ガラスの上面から退避させることにより透過原稿用光源を透明ガラスの上面に沿って副走査方向へ移動可能とする透過原稿用光源装置が装着可能な画像形成装置であって、前記透過原稿用光源を副走査方向に移動させる移動機構を収容するケーシングが取付けられる前記透明ガラスに隣接した位置に、前記ケーシングの形状に合わせた台座部を着脱可能に配置し、前記押さえカバーが、該台座部の所定の位置に取付けられることを特徴とする。
【００１８】
この発明によれば、本体ケーシングの上面に台座部を設け、この台座部に押さえカバーを取付けている。この台座部の形状は、透過原稿用光源装置の移動機構を収容するケーシングの形状に合わせている。すなわち、台座部の高さ寸法は、ケーシングの透明ガラス側の高さ寸法に合わせられている。また、台座部の取付け位置は、移動機構を収容するケーシングの取付け位置となっている。
【００１９】
透過原稿用光源装置の移動機構は、透明ガラスに隣接した位置で透明ガラスの周縁の一辺に沿って配置されるので、この位置に押さえカバーを取付ける台座部を配置する。
【００２０】
このため、透過原稿用光源装置の移動機構を収容するケーシングの所定の位置に押さえカバーを取付けるための手段を設けておけば、ケーシングに取り付けた押さえカバーを回動させて、透明ガラスの上面から退避させることにより、透過用原稿光源の移動が可能となる。また、台座部を外して透過原稿用光源装置を取付けたときに、台座部に取付けていた押さえカバーをそのまま取付けることができ、透過原稿用光源装置を取付けるために押さえカバーを交換する必要がない。したがって、透過原稿用光源装置を取付けるためのコストを低減させることができる。
【００２１】
請求項２に係る発明は、前記透過原稿用光源装置に設けられて前記画像形成装置と前記透過原稿用光源を接続するケーブルが、透過原稿用光源と一体で移動する可動部と前記可動部と略同一の高さに固定された固定部との間で、中間部が前記本体ケーシングの上面に沿って延設されて接続されることを特徴とする。
【００２２】
この発明によれば、固定部と可動部を本体ケーシングから略同じ高さとなるように配置することにより、透過原稿用光源に接続されるケーブルを本体ケーシングの上面と略平行に配線し、可動部が透過原稿用光源と一体で移動したときに、ケーブルが中間部の屈曲位置を変えながら移動するようにしている。これによって、移動するケーブルの中間部が上方へ突出するのを防止することができる。すなわち、ケーブルの移動スペースを本体ケーシングの上方へ向けて確保するのではなく、本体ケーシングの上面に沿って確保すれば良く、ケーブルの移動スペースを確保するためにケーシングの高さ寸法が大きくなるのを抑えることができる。
【００２３】
このように、透過原稿用光源装置の駆動部を収容するケーシングの高さ寸法を抑えることにより、透過原稿用光源装置を取付けたときに、ケーシングが本体ケーシングから上方へ大きく突出してしまうのを防止できる。また、この透過原稿用光源装置の移動機構を収容するケーシングに合わせて台座部を設けても、台座部が本体ケーシングの上面から上面から大きく上方に突出することによる外観品質の低下を防止することができる。
【００２４】
請求項３に係る発明は、透明ガラス上に配置された原稿へ照射した光に基づいて、原稿の画像に応じた画像を形成すると共に透過原稿に記録された画像を読取る透過原稿読取装置が取付けられたときに、該透過原稿読取装置によって読取った透過原稿の画像に応じた画像を記録材料に記録可能な画像形成装置であって、上面に前記透明ガラスが嵌め込まれると共に前記透過原稿装置の底部の形状に応じた凹部及び該凹部の所定の位置に透過原稿読取装置の底面から突設された脚部が挿入される小開口部が形成されたケーシングと、前記ケーシングによって囲われて装置内部の部品を支持すると共に、前記凹部内の小開口部から挿入された脚部が連結されることにより前記透過原稿読取装置を固定可能なフレームと、前記ケーシングの凹部へに取り付けられて前記凹部を覆う化粧カバーと、を含むことを特徴とする。
【００２５】
この発明によれば、ケーシングの上面に凹部を形成しており、通常、この凹部は化粧カバーによって隠されている。写真フィルム等の透過原稿の画像を読取る透過原稿読取装置（例えばフィルムスキャナ）は、化粧カバーを外した凹部に嵌め込まれる。
【００２６】
この凹部の底面には、小開口部が形成されており、この小開口部からケーシング内に挿入された脚部をフレームに連結することにより、透過原稿読取装置が固定される。
【００２７】
したがって、透過原稿読取装置は、ケーシングの側面から突出することがなく、また、ケーシング内のフレームに透過原稿読取装置を固定するので、ケーシングの強度が低下するのを防止でき、また、透過原稿読取装置を取付けるためにケーシングを補強する必要もない。
【００２８】
【発明の実施の形態】
〔第１の実施の形態〕
図１には、本発明の実施の形態に係る画像読取／記録装置１０の概略構成が示されている。この画像読取／記録装置１０は、画像読取部であるスキャナ部ＳＣＮと、画像を記録するプリンタ部ＰＲＴと、で構成されており、スキャナ部ＳＣＮとプリンタ部ＰＲＴが一体でケーシング２００内に収容されている。なお、以下の説明では、スキャナ部ＳＣＮでの画像読取り時の主走査方向を矢印Ｘ、副走査方向を矢印Ｙでそれぞれ示している。
【００２９】
図１及び図２に示されるように、スキャナ部ＳＣＮは、ケーシング２００の上部に設けられている。このケーシング２００の上面中央部には、矩形の開口部が設けられており、この開口部内に透明ガラスとなっているプラテンガラス２０２が嵌め込まれている。スキャナ部ＳＣＮでは、このプラテンガラス２０２上に載置された原稿の画像を読取るようになっている。
【００３０】
プラテンガラス２０２上には、押さえカバー２０４が配置されている。図２に示されるように、この押さえカバー２０４は、ケーシング２００の奥側（図１では紙面奥側）にヒンジ２０６が設けられており、また、下方へ向けて一対の脚２３２が突設されている。
【００３１】
ケーシング２００の上面には、略矩形形状の台座２３４が着脱可能に取り付けられている。この台座２３４は、外形が後述する透過原稿装置６０のケーシング６８の一部と略一致した形状となっている。また、この台座２３４は、透過原稿用光源装置６０を取付けるために、ケーシング２００の上面に形成されている開口部等を隠す位置に取付けられている。
【００３２】
押さえカバー２０４には、所定の位置に脚２３２が取付けられている。また、台座２３４には、押さえカバー２０４の脚２３２が挿入される挿通孔２３６が形成されており、押さえカバー２０４は、台座２３２の挿通孔２３６へ脚２３２が挿入されることにより、台座２３４を介してケーシング２００に取付けられる。
【００３３】
押さえカバー２０４は、脚２３２が取付けられている側の端部にヒンジ２０６が設けられている。また、図３に示されるように、押さえカバー２０４は、台座２３４に対向する側と、プラテンガラス２０２に対向する側の間に段差部２０５が形成されている。
【００３４】
押さえカバー２０４は、台座２３４に取付けられた状態で、ヒンジ２０６によって図１の紙面奥側の一辺に沿った軸を中心に、プラテンガラス２０２の上面を覆う位置と、プラテンガラス２０２の上面から退避した位置の間を回動されるようになっている。このとき、押さえ２０４は、段差部２０５によってプラテンガラス２０２の上面に密着可能となっている
押さえカバー２０４は、プラテンガラス２０２を覆う位置でプラテンガラス２０２との間で、プラテンガラス２０２上に載置された反射原稿を保持するようになっている。また、プラテンガラス２０２の内方側は、押さえカバー２０４によってプラテンガラス２０２の上面が覆われることにより、ケーシング２００内に不必要な光が入り込まないように遮光される。
【００３５】
図３に示されるように、台座２３４のプラテンガラス２０２側の端部には、複数（少なくとも２本）のピン２３４Ａが立設されている。また、押さえカバー２０４の段差部２０５には、台座２３４側の面にキャップ２０４Ａが設けられている。押さえカバー２０４は、プラテンガラス２０２の上面を覆ったときに、台座２３４のピン２３４Ａがキャップ２０４Ａに入り込むことによりがたつきが防止される。
【００３６】
なお、台座２３４は、任意の方法でケーシング２００へ取付けることができるが、例えば、脚２３２を長めにして、押さえカバー２０４を取付けたときに、脚２３２がケーシング２００内の所定の位置に嵌合されることにより位置決めされるようにしておいてもよい。
【００３７】
図２に示されるように、ケーシング２００の上面手前側には、操作／表示パネル２３８（詳細な図示は省略）が設けられており、この操作／表示パネル２３８のスイッチ操作により画像読取／記録装置１０で実行される各種の機能の指示され、また、指示状態や動作状態が表示される。
【００３８】
図１に示されるように、ケーシング２００の内方には、走査部２０８を制御すると共に、後述するプリント部ＰＲＴ（すなわち画像読取／記録装置１０）を制御するコントローラ２０９が配置されている。走査部２０８は、ケーシング２００内の上部に設けられている略箱体形状のフレーム１２内（図８参照、詳細な図示は省略）に収容されている。なお、このフレーム１２は、上方側の面が開放されている。
【００３９】
走査部２０８は、原稿画像の幅方向（図１の紙面表裏方向、以下で説明する画像読取り時の主走査方向）に沿って延出されたハロゲンランプ２１０Ａ及びリフレクタ２１０Ｂを備えた光源２１０、この光源２１０と共に原稿画像の幅方向に沿って延出された第１のミラー２１２が組み込まれた第１のキャリッジ２１４、第２のミラー２１６及び第３のミラー２１８が組み込まれた第２のキャリッジ２２０、絞り２２２、色調整フィルタ及びＮＤフィルタ等で４枚構成されるフィルタ群２２４、結像のためのレンズ２２６によって構成される固定ユニット２２８とを備えている。
【００４０】
第１キャリッジ２１４は、光源２１０の光をプラテンガラス２０２上に載置された原稿へ向けて照射する。光源２１０から照射された光は、プラテンガラス２０２上に載置された原稿によって第１のミラー２１２へ向けて反射され、第１のミラー２１２は、この光を第２のキャリッジ２２０の第２のミラー２１６へ向けて９０°偏向する。
【００４１】
第２のキャリッジ２２０には、第２のミラー２１６の反射面が前記した第１のミラー２１２の反射面と対向しかつ平行な状態で配置され、第３のミラー２１８が反射面を第２のミラー２１６に対向してかつ平行な状態で配置されている。第１のミラー２１２で偏向された光は、第２のミラー２１６によって第３のミラー２１８へ向けて９０°偏向し、さらに、第３のミラー２１８によって偏向されると、固定ユニット２２８を経てＣＣＤラインセンサ２３０の受光部へと至る。このとき、固定ユニット２２８では、絞り２２２やフィルタ群２２４によって光量の調整、各色のバランス調整を行い、レンズ２２６によってＣＣＤラインセンサ２３０上の受光部に原稿画像を結像する。
【００４２】
第１のキャリッジ２１４及び第２のキャリッジ２２０は、図示しない駆動手段の駆動力によってプラテンガラス２０２の下方で副走査方向に沿って往復移動する。このとき、原稿の光源２１０の光の照射位置（原稿面上の反射位置）からＣＣＤラインセンサ２３０の受光部までの光路長が一定に維持されながら移動される。すなわち、駆動手段は、第２のキャリッジ２２０が第１のキャリッジ２１４の移動速度の１／２の移動速度となるように第１のキャリッジ２１４と第２のキャリッジ２２０を同一方向へ移動させるようになっている。
【００４３】
走査部２０８では、第１及び第２のキャリッジ２１４、２２０の１往復移動が１画像分の走査（往路移動時に画像読取り）としており、第１及び第２のキャリッジ２１４、２２０の往復移動によってプラテンガラス２０２上の原稿の画像に応じた画像データを読込む。
【００４４】
なお、ＣＣＤラインセンサ２３０の受光部は、例えばＲＧＢの各色毎に独立して受光量を検出する３本のライン（Ｒライン、Ｇライン及びＢライン）によって構成され、それぞれのラインに対応して３ライン分の液晶シャッタが配設されている。画素ごとに液晶シャッタを構成する素子（液晶素子）の光透過率を調整することにより、ＣＣＤラインセンサ２３０のダイナミックレンジの幅狭が補償されるようにしている。
【００４５】
また、スキャナ部ＳＣＮでは、プレスキャンと、メインスキャンの２回の走査（２往復）を行い、プレスキャンで原稿画像の濃度分布を把握して、最大濃度部分を確実に読みとることができるダイナミックレンジとなるようにＣＣＤラインセンサ２３０を調整し、メインスキャンを行うときにプレスキャンで得られた画像の濃度分布から予め定めた濃度しきい値よりも高い濃度値となる画素を受光するときに液晶シャッタによって透過率を下げて読み取る。
【００４６】
コントローラ２０９は、走査部２０８で読取った画像データを記憶すると共に、例えば外部接続されたパソコン等へ出力し、パソコン内のＲＡＭメモリやハードディスク等の記憶手段に記憶させることができる。
【００４７】
図１に示されるように、プリント部ＰＲＴには、ケーシング２００内に感光材料１６を収容する感材マガジン１４が配置されている。感光材料１６は、ロール状に巻き取られ、感光面が左方へ向くように感材マガジン１４に収容されている。感光材料１６は、ニップローラ１８に挟持されて、感材マガジン１４から引出されるとカッタ２０によって所定の長さに切断された後、搬送ローラ２４、２６の間に設けられた露光部２２へ案内搬送される。
【００４８】
露光部２２の図１紙面左側には露光装置３８が設けられている。露光装置３８は、例えば３種のＬＤ（レーザダイオード）、レンズユニット、ポリゴンミラー、ミラーユニット等（何れも図示省略）を備え、コントローラ２０９により制御されながら画像データに基づいてＬＤから露光用の光線を振り子の如く主走査し、露光部２２の所定の位置へ照射して露光部２２を搬送（副走査）される感光材料１６を露光する。なお、露光装置３８としては任意の構成を用いることができ、例えば主走査方向に沿って多数のＬＥＤ（発光ダイオード）を配置し、１主走査ラインを同時に露光する構成であってもよい。
【００４９】
露光部２２にて画像露光された感光材料１６は、搬送ローラ２８、３０により挟持搬送されながらＵターン部４０の上側よりの搬送路を通過しつつ水塗布部５０へ送り込まれ、感光面に画像形成用の溶媒が塗布される。なお、本実施の形態では、画像形成用の溶媒として水を用いている。
【００５０】
一方、プリンタ部ＰＲＴの図１紙面左上端部には、幅寸法が感光材料１６より僅かに短く画像形成面に媒染剤を有する色素固定材料が塗布された受像材料１０８をロール状に巻き取って収容している受材マガジン１０６が配設されている。受像材料１０８は、画像形成面が下方へ向けられた状態でニップローラ１１０によって挟持されて引出されると、カッタ１１２によって感光材料１６よりも短い所定の長さに切断される。所定の長さに切断された受像材料１０８は、搬送ローラ１３２、１３４、１３６、１３８等によって熱現像転写部１２０へ向けて案内搬送される。
【００５１】
熱現像転写部１２０には、一対の無端ベルト１２２、１２４が設けられており、無端ベルト１２２、１２４のそれぞれは、複数の巻き掛けローラ１４０に巻き掛けられて、上下方向を長手方向としたループ状となっており、巻き掛けローラ１４０の何れかが回転駆動されることにより無端ベルト１２２、１２４が対となって回転駆動する。
【００５２】
無端ベルト１２２、１２４の一方のループ（図１では紙面右側の無端ベルト１２２）の内方には、加熱板１２６が配置され、無端ベルト１２２、１２４の接触位置に対向されている。この加熱板１２６の内部には、ヒータ（図示省略）が配設されており、このヒータによって表面が加熱されて昇温され、所定の温度に維持される。
【００５３】
感光材料１６は、水塗布部５０を通過すると、搬送経路の最後の搬送ローラ３４によって挟持されて熱現像転写部１２０の一対の無端ベルト１２２、１２４の間へ送り込まれ、受像材料１０８は、この感光材料１６の搬送に同期されて無端ベルト１２２、１２４の間へ送り込まれる。これによって、感光材料１６と受像材料１０８が重ね合わせられて無端ベルト１２２、１２４に挟持される。
【００５４】
なお、受像材料１０８は、感光材料１６よりも幅方向寸法（搬送方向と直交する方向に沿った寸法）及び長手方向寸法（搬送方向に沿った寸法）が何れも小さい寸法となっており、感光材料１６が所定長さ先行した状態で無端ベルト１２２、１２４の間へ送り込まれることにより、感光材料１６の周縁部が四辺とも受像材料１０８から突出した状態で感光材料１６と受像材料１０８が重ね合わせられて無端ベルト１２２、１２４の間で挟まれる。
【００５５】
熱現像転写部１２０では、感光材料１６と受像材料１０８が無端ベルト１２２、１２４の間に完全に収まった時点で一旦無端ベルト１２２、１２４の回転駆動を停止し、加熱板１２６の表面から放出される熱によって、感光材料１６と受像材料１０８を加熱する。これにより、感光材料１６は、露光画像に応じて可動性の色素を放出し、感光材料１６から放出された色素が、受像材料１０８の色素固定層に転写され、受像材料１０８に露光に応じた画像が形成される。
【００５６】
一対の無端ベルト１２２、１２４の下方には、剥離爪１２８が配置されており、無端ベルト１２２、１２４の駆動が再開され、無端ベルト１２２、１２４の間から感光材料１６と受像材料１０８が送り出されるときに、先行して送り出される感光材料１６の先端に剥離爪１２８が係合し、受像材料１０８から感光材料１６を剥離させる。
【００５７】
剥離爪１２８によって受像材料１０８から剥離された感光材料１６は、感材排出ローラ１４８によって廃棄感材収容部１５０へ向けて案内搬送される。
【００５８】
廃棄感材収容部１５０は、感光材料１６が巻き付けられるドラム１５２及び一部がドラム１５２に巻き掛けられているベルト１５４が設けられている。また、ベルト１５４は、複数のローラ１５６の間に巻き掛けられており、これらのローラ１５６の回転によりベルト１５４及びドラム１５２が回転される。廃棄感材収容部１５０へ搬送された感光材料１６は、ドラム１５２とベルト１５４の間に送り込まれ、ドラム１５２の周囲に巻き付けられて集積される。
【００５９】
一方、無端ベルト１２２、１２４の下方から図１の紙面左方へ向けて受材排出ローラ１６２、１６４、１６６、１６８、１７０が順に配設されており、感光材料１６が剥離された受像材料１０８は、受材排出ローラ１６２、１６４、１６８、１７０によって案内搬送され、ケーシング２００から突出したトレイ１７２へ排出される。
【００６０】
このように、画像読取／記録装置１０では、プラテンガラス２０２上に、反射原稿を載置して押さえカバー２０４によって保持された原稿の画像を、スキャナ部ＳＣＮによって読込むと、プリンタ部ＰＲＴによって読込んだ画像に応じて感光材料１６を露光する。この後、感光材料１６と受像材料１０８を重ね合わせ、感光材料１６に露光して記録した画像を受像材料１０８に転写し、原稿に応じた画像を受像材料１０８に記録して出力する。
【００６１】
ところで、図４に示されるように、画像読取／記録装置１０には、透過原稿に記録された画像を読み取るための透過原稿用光源装置６０及びネガフィルム等の透過原稿を読み取るフィルムスキャナ６２が取り付け可能となっている。
【００６２】
以下に、本実施の形態に適用した透過原稿用光源装置６０の構造及びフイルムスキャナ６２の取付け構造について説明する。
【００６３】
透過光源用光源装置６０は、光源部６４と光源部６４を副走査方向に沿って移動させる駆動部６６によって構成されている。駆動部６６は、長手方向が原稿の画像を読取るときの副走査方向に沿って配置される略矩形箱体形状のケーシング６８内に収容されている。透過原稿用光源装置６０は、ケーシング２００の台座２３４が取り付けられている位置に、駆動部６６が取り付けられる。
【００６４】
すなわち、透過原稿用光源装置６０は、押さえカバー２０４が取り付けられている台座２３４を取り外すことによって画像読取／記録装置１０に取り付けられる。これにより、透過原稿用光源装置６０を取付けるためのケーシング２００の上面の開口等が、台座２３４によって隠されている。
【００６５】
図５に示されるように、光源部６４は、長手方向がプラテンガラス２０２に載置されて画像が読込まれる原稿の主走査方向に沿った略矩形箱体形状のケーシング７０を備えている。このケーシング７０は、プラテンガラス２０２に対向する下方側の面が開放されており、内部に駆動部６６のケーシング６８内から突設されたブラケット７２が配置されている。このブラケット７２の駆動部６８と反対側の端部には、ローラ７４が回転自在に取り付けられている。これにより、光源部６４は、ブラケット７２の一端が駆動部６６に支持され、他端がローラ７４を介してケーシング２００上に移動可能に支持されている。
【００６６】
ブラケット７２には、長手方向が主走査方向に沿って配置されたハロゲンランプ７６及びリフレクタ７８が取り付けられており、ハロゲンランプ７６からプラテンガラス２０２へ向けて光を照射するようになっている。また、ケーシング７０の内部には、ハロゲンランプ７６の発熱による温度上昇を抑えるための複数のファン８０が取り付けられている。
【００６７】
透過原稿用光源装置６０は、走査部２０８の第１のキャリッジ２１４の移動に同期させて、光源部６４を移動させることにより、ハロゲンランプ７６から照射された光が、プラテンガラス２０２上に載置された透過原稿を透過して、第１のキャリッジ２１４の第１のミラー２１２へ至るようになっており、これによって、透過原稿を透過した光が反射原稿によって反射した光と同様にＣＣＤラインセンサ２３０へ至り、透過原稿の画像が読込まれる。
【００６８】
図６に示されるように、駆動部６６は、移動機構８２と、この移動機構８２を駆動する駆動機構８４を備えている。図４に示されるように、駆動部６６を収容するケーシング６８は、プラテンガラス２０２に隣接する移動機構８２側の高さ寸法が、駆動機構８４側の高さ寸法より低くなっている。移動機構８２側のケーシング６８の高さ寸法は、台座２３４の高さ寸法と同じにされており、ケーシング６８の上面には、台座２３４の挿通孔２３６に対応する位置に挿通孔８６が形成されている。このため、台座２３４から取り外した押さえカバー２０４のヒンジ２０６に設けている脚２３２を挿通孔８６へ挿入することにより、透過原稿用光源装置６０を取り付けた状態でも、押さえカバー２０４をそのまま取り付けることができるようになっている。
【００６９】
図５及び図６に示されるように、光源部６６の移動機構８２は、スキャナ部ＳＣＮの副走査方向（図５の紙面表裏方向）に沿ってガイドシャフト８８が配置されている。また、図６に示されるように、光源部６４のブラケット７２は、駆動部６６内の端部が略Ｌ字状に屈曲された屈曲部７２Ａが形成されている。図５に示されるように、ブラケット７２には、屈曲部７２Ａにガイドシャフト８８に対応してスライダ９０が取り付けられており、このスライダ９０にガイドシャフト８８が挿通されている。これによって、光源部６４がスキャナ部ＳＣＮの副走査方向に沿って移動可能に支持されている。
【００７０】
図５及び図６に示されるように、移動機構８２には、副走査方向に沿った駆動機構８４と反対側の端部にプーリ９２が回転自在に取り付けられている。このプーリ９２にはワイヤ９４が巻き掛けられている。
【００７１】
一方、図６に示されるように、駆動機構８４は、ステッピングモータ（以下「モータ９６」と言う）及びワイヤドラム９８を備えている。モータ９６の駆動軸９６Ａには、ギア２４０が取り付けられており、ワイヤドラム９８には、ギア２４２が取り付けられている。また、ギヤ２４０、２４２の間には、同軸的に配置された小径ギアと大径ギアが一体に回転するギア２４４が配置されている、ギア２４４の小径ギアはギア２４２と噛合しており、またギア２４４の大径ギアは、ギア２４０と噛合されている。これによって、モータ９６が回転がワイヤドラム９８に減速して伝達され、ワイヤドラム９８が回転される。
【００７２】
ワイヤドラム９８には、ワイヤ９４が複数回巻き掛けられ、このワイヤ９４の一端側がプーリ９２に巻き掛けられている。また、ブラケット７２には、屈曲部７２Ａにワイヤブラケット２４６が取り付けられており、このワイヤブラケット２４６には、ワイヤドラム９８に巻き掛けられているワイヤ９４のプーリ９２と反対側の端部が係止されている。また、プーリ９２に巻き掛けられているワイヤ９４のワイヤドラム９８と反対側の端部は、コイルばね２４８を介してワイヤブラケット２４６に取り付けられている。ワイヤ９４は、このコイルばね２４８によって一定の張力が付与されている。
【００７３】
ワイヤ９４は、ワイヤドラム９８が回転されることにより、一方側がワイヤドラム９４に巻き取られながら、他方側がワイヤドラム９８から送り出される。このワイヤ９４のワイヤドラム９８への巻き取り及び送り出しによってワイヤ９４の両端が連結されているワイヤブラケット２４６と共にブラケット７２が、ガイドシャフト８８に案内されながら副走査方向に沿って移動される。なお、図４に示されるように、ケーシング６８には、プラテンガラス２０２側の側面に矩形孔６８Ａが形成されており、ケーシング６８内から突設されているブラケット７２は、この矩形孔６８Ａ内を移動するようになっている。
【００７４】
一方、図５及び図６に示されるように、駆動部６６には、断面形状が略コ字状のガイドレール２５０がガイドシャフト８８と平行に配置されている。このガイドレール２５０内には、プーリ２５２、２５４が対で配置されている。プーリ２５２、２５４は、長尺矩形形状の支持枠２５６にそれぞれ回転自在に取り付けられており、これによって、プーリ２５２、２５４の間隔（回転軸の間隔）が一定に保持されている。なお、ガイドレール２５０は、上端が外方へ向けて折曲されており、支持枠２５６の下端部は、外方へ向けて折曲されたガイドレール２５０の両端を包むように内方側へ折曲されている。これによって、支持枠２５６のガイドレール２５０からの離脱が防止されると共に、支持枠２５６がガイドレール２５０に沿って移動可能となっている。
【００７５】
また、図６に示されるように、ブラケット７２には、屈曲部７２Ａに隣接してケーブル固定部２５８が取り付けられている。このケーブル固定部２５８には、２本のケーブル２６０、２６２がそれぞれ固定されて取り付けられている。これらのケーブル２６０、２６２は、光源部６４のハロゲンランプ７６及びファン８０への電力供給用となっており、一旦、ケーブル固定部２５８に固定された後、光源部６４内へ引き入れられている。
【００７６】
ガイドレール２５０の底部には、所定の位置にケーブル挿通孔２６４が形成されている。一方のケーブル２６０は、ケーブル挿通孔２６４から引出された後、プーリ２５２に巻き掛けられてケーブル固定部２５８に固定され、他方のケーブル２６２は、ケーブル挿通孔２６４から引出されて、プーリ２５４に巻き掛けられた後にケーブル固定部２５８に固定されている。また、それぞれのケーブル２６０、２６２は、ケーブル挿通孔２６４内で固定され、ケーブル挿通孔２６４から引出されている長さが一定に保持されている。
【００７７】
したがって、図７に示されるように、ブラケット７２と一体にケーブル固定部２５８が副走査方向に沿って往復移動するときの往路ではケーブル２６０がプーリ２５２を引いて往路方向へ移動させると、支持枠２５６と共にプーリ２５４も一体で移動する。また、復路では、逆にケーブル２６２がプーリ２５４を引いて支持枠２５６と共にプーリ２５２を移動させる。すなわち、ブラケット７２の移動に伴って、ケーブル２６０、２６２のそれぞれは、プーリ２５２、２５４への巻き掛け位置を変更しながら支持枠２５６を追従して移動させる。
【００７８】
ケーブル２６０、２６２のそれぞれは、常にプーリ２５２またはプーリ２５４に巻き掛けられている位置で湾曲されるため、ケーブル固定部２５８の移動に伴って大きく曲率が変化することなく、略一定に保たれている。このために、移動機構８２を収容しているケーシング６８の高さ寸法を大きくする必要がなくなっている。
【００７９】
すなわち、ケーブル２６０、２６２の湾曲径がプーリ２５２、２５４の外径と略一致しており、プーリ２５２、２５４を小さくすることにより、ケーシング６８の高さ寸法を抑えることができる。このプーリ２５２、２５４の外径寸法は、ケーブル２６０、２６２で許容される湾曲径に合わせることにより、ケーブル２６０、２６２のそれぞれを無理なく湾曲させることができると共に、ケーブル固定部２５８が移動しても、ケーブル２６０、２６２の湾曲径が大きくなることがない。したがって、ケーシング６８の高さ寸法を抑えても、ケーシング６８内を湾曲しながら移動するケーブル２６０、２６２がケーシング６８の内面に接触してしまうことがない。
【００８０】
図４及び図８に示されるように、ケーシング２００の上面には、プラテンガラス２０２が嵌め込まれる開口部に隣接して凹部２６６が形成されている。この凹部２６６は、フィルムスキャナ６２の下部の外形に合わせて、所定の深さの略矩形形状に形成されており、画像読取／記録装置１０では、フィルムスキャナ６２をこの凹部２６６に配置して取り付けるようになっている。なお、フィルムスキャナ６２は、ネガフィルムやポジフィルム等の写真フィルムに記録されている画像を読込む一般的構成のものを用いることができ、本実施の形態では詳細な説明を省略する。
【００８１】
図２に示されるように、この凹部２６６は、通常、化粧カバー２６８によって閉塞されており、この化粧カバー２６８を取り外すことにより、凹部２６６が開放される（図４参照）。
【００８２】
図４及び図８に示されるように、凹部２６６の底部には、複数の開口部２７０が形成されている。図８に示されるように、それぞれの開口部２７０は、走査部２０８を収容しているフレーム１２の側壁１２Ａに隣接した位置に形成されている。
一方、図４及び図８に示されるように、フィルムスキャナ６２の底面には、略Ｌ状に屈曲された脚部２７２が取り付けられており、脚部２７２の先端部がフイルムスキャナ６２の底面から下方へ向けて突設されている。これらの脚部２７２は、フィルムスキャナ６０をケーシング２００に形成している凹部２６６へ嵌め込むことにより、凹部２６６の底面に形成されている開口部２７０は挿入されるようになっている。
【００８３】
下方へ向けて突出した脚部２７２には、複数の取付け孔２７４が形成されており、脚部２７２を開口部２７０へ挿入することにより、取付け孔２７４がフレーム１２の側壁１２Ａの所定の位置に対向するようになっている。
【００８４】
図８に示されるように、画像読取/ 記録装置１０のケーシング２００には、フレーム１２の側壁１２Ａに対向する側面に開閉蓋２７６が設けられており、この開閉蓋２７４を回動させることにより、脚部２７２が挿入される側壁１２Ａとケーシング２００の間の空間を開放することができるようになっている。
【００８５】
これにより、脚部２７２に形成している複数の取付け孔２７４へ図示しないボルトを挿入し、このボルトをフレーム１２の側壁１２Ａに直接螺合するか、側壁１２Ａに取付けられたナットに螺合することにより、脚部２７２をフレーム１２に固定することができる。
【００８６】
フィルムスキャナ６２は、脚部２７２がフレーム１２へ固定されることによって、ケーシング２００の凹部２６６から立設するようにケーシング２００の上面に取付けられ、ケーシング２００の側面側へはみ出すことがないようになっている。
【００８７】
なお、フイルムスキャナ６２の底面からは、ケーブルが束ねられた複数のハーネス２７８が引出されている。ハーネス２７８の先端には、コネクタ２８０が設けられており、フィルムスキャナ６２を凹部２６６へ嵌め込むときに、コネクタ２８０が開口部２７０へ挿入されるようになっている。これらのコネクタ２８０は、開閉蓋２７６を開くことにより、ケーシング２００内に設けられている図示しないコネクタへ容易に接続可能となっている。フィルムスキャナ６２は、コネクタ２８０をケーシング２００内のコネクタへ接続することにより、画像読取／形成装置１０のコントローラ２０９へ接続され、動作用の電力が供給されると共に、フィルムスキャナ６２で図示しないネガフイルムないしポジフイルムから読取った画像データがコントローラ２０９へ出力される。これにより、フィルムスキャナ６２で読取った画像データに応じた画像が、プラテンガラス２０２上に載置された原稿と同様に感光材料１６を介して受像材料１０８に形成されるようになっている。
【００８８】
このように構成されている画像読取／記録装置１０では、ケーシング２００の上面の台座２３４に取付けられている押さえカバー２０４を、ヒンジ２０６を軸に回動させることにより、プラテンガラス２０２の上面が開放され、原稿が載置可能となる。反射原稿に記録されている画像を受像材料１０８に記録するときには、この反射原稿をプラテンガラス２０２上に載置して、押さえカバー２０４と閉じる。この後、操作／表示パネル２３８上のスイッチ操作によって反射原稿の画像がスキャナ部ＳＣＮによって読み込まれ、読み込まれた画像データに応じた画像がプリント部ＰＲＴで受像材料１０８に記録される。
【００８９】
ところで、押さえカバー２０４は、台座２３４の挿通孔２３６へ挿入されている脚２３２を引き抜くことにより、台座２３４から取外される。また、この台座２３４は、ケーシング２００の上面から取外すことにより、ケーシング２００の上面に透過原稿用光源装置６０の取付け用の開口（図示省略）が現われるようになっている。透過原稿用光源装置６０は、台座２０４を取外した跡に取付けられる。
【００９０】
すなわち、透過原稿用光源装置６０が取付けられる位置は、通常（透過原稿用光源装置６０の非装着時）、台座２３４によって隠されており、これによって、透過原稿用光源装置６０を取付けるための開口等が画像読取／記録装置１０の外観品質を損ねてしまうのを防止している。
【００９１】
台座２３４を取外した跡に取付けられる透過原稿用光源装置６０のケーシング６８のプラテンガラス２０２に隣接した部分の外形形状は、台座２３４の外形形状と一致されており、また、このケーシング６８には、台座２３４の挿通孔２３６に合わせた位置に押さえカバー２０４の脚２３２を挿入して取付ける挿通孔８６が形成されている。
【００９２】
これにより、台座２３４から取外した押さえカバー２０４を透過原稿用光源装置６０のケーシング６８にそのまま装着して使用できるようになっている。したがって、画像読取／記録装置１０に後付けされる透過原稿用光源装置６０を取付けるために、それまで用いていた押さえカバー２０４が使用できなくなってしまうことにより、新たに専用の押さえカバーを用意する必要がない。
【００９３】
一般に、光源部６４に接続されたケーブルの損傷を防止するためには、光源部６４の移動に追従して移動するケーブルの移動スペースを比較的大きくとる必要があり、このために、ケーブルを収容するケーシングの高さ寸法も大きくなっていた。
【００９４】
これに対して、本実施の形態に適用した透過原稿用光源装置６０は、光源部６４の移動に追従して移動する一対のケーブル２６０、２６２が、それぞれプーリ２５２、２５４に巻き掛けられており、一対のケーブル２６０、２６２が、光源部６４の移動に追従してプーリ２５２、２５４を移動させながら移動するようにしている。これによって、ケーブル２６０、２６２の移動時に曲径が変化してしまうのを抑えることができると共に、曲径がプーリ２５２、２５４の外径に合わせられるため、ケーシング６８の高さ寸法を抑えることができている。
【００９５】
したがって、画像読取／記録装置１０に透過原稿用光源装置６０を取付けたときに、移動機構８２を収容するケーシング６８がケーシング２００の上面から大きく上方へ突出して、画像読取／記録装置１０の外観品質を損ねてしまうのを防止することができる。
【００９６】
また、透過原稿用光源装置６０の非装着時にケーシング２００の上面に取付けられる台座２３４は、透過原稿用光源装置６０のケーシング６８の外形形状に合わせて形成しても、このケーシング６８の高さ寸法が抑えられている。このために、ケーシング２００の上面に台座２３４を取付けておいても、台座２３４がケーシング２００の上面から大きく突出していることによって生じる違和感を防止でき、透過原稿用光源装置６０の非装着時にも、画像読取／記録装置１０の外観品質を低下させてしまうことがない。
【００９７】
一方、この画像読取／記録装置１０には、フィルムスキャナ６２が取付けられる。このフィルムスキャナ６２の取付け位置は、ケーシング２００の上面でプラテンガラス２０２が嵌め込まれる開口部に隣接した位置となっており、通常（フィルムスキャナ６２の非装着時）には、化粧カバー２６８に隠されている。
【００９８】
フィルムスキャナ６２は、ケーシング２００に取付けられている化粧カバー２６８を取外すことにより開放される凹部２６６内に嵌め込まれるときに、凹部２６６の底面に形成されている比較的小さい開口部２７０へ脚部２７２が挿入される。この後、脚部２７２をケーシング２００の内部のフレーム１２へ固定することにより、フィルムスキャナ６２が取付けられる。
【００９９】
一般にケーシング２００の上面にプラテンガラス２０２を嵌め込む開口部に隣接してフィルムスキャナ６２を嵌め込むための開口部を形成する場合、ケーシング２００の上面に開口部が多くなり、この開口部がケーシング２００の強度を低下してしまう。特に、プラテンガラス２０２を嵌め込む開口部と、フィルムスキャナ６２を装着する開口部の間隔が狭いと、その部分の強度が特に低下する。
【０１００】
このようなケーシング２００の強度の低下を防止するためには、ケーシング２００の上面の面積を広くする方法がある。しかし、この方法では、画像読取／記録装置１０の設置面積が広くなってしまうと共に、外観品質を低下させてしまう。
【０１０１】
これに対して、画像読取／記録装置１０のケーシング２００には、フィルムスキャナ６２の装着位置に開口部ではなく凹部を形成し、実質的にケーシング２００の上面の開口部の面積が大きくなってしまうのを防止し、フィルムスキャナ６２をケーシング２００の上面に取付けるために、ケーシング２００の上面の開口部の面積が広がることによるケーシング２００の強度低下が生じないようにしている。
【０１０２】
また、フィルムスキャナ６２をケーシング２００内に設けられているフレーム１２へ直接固定して取付けることにより、フィルムスキャナ６２の荷重がケーシング２００に直接かかることがないようにしている。これにより、フィルムスキャナ６２を支えるための荷重を受けるために、ケーシング２００を強固にする必要がないようにしている。
【０１０３】
このようにして画像読取／記録装置１０に取付けられたフィルムスキャナ６２は、ケーシング２００の側方へ突出することがないため、ケーシング２００の外方へ側方に突出することによって、画像読取／記録装置１０の外観品質が損ねられたり、フィルムスキャナ６２をケーシング２００に取付けたままにしておくことによって作業の邪魔になってしまうのを防止することができる。
〔第２の実施の形態〕
以下に第２の実施の形態を説明する。なお、第２の実施の形態の基本的構成は、前記した第１の実施の形態と同一であり、同一の部品には同一の符号を付与してその説明を省略している。
【０１０４】
図９及び図１０には、第２の実施の形態に適用した移動機構３００が示されている。この移動機構３００は、光源部６４の移動方向（副走査方向）に沿って配置されたガイドシャフト３０２を備えている。このガイドシャフト３０２には、光源部６４から延設されたブラケット７２（図９及び図１０では端部の概略のみを図示）の端部の連結部７２Ｂに取付けられているスライダ３０４が挿通されており、このスライダ３０４に、ブラケット７２、すなわち光源部６４の片側が支持されている。
【０１０５】
一方、ガイドシャフト３０２の両端部近傍には、プーリ３０６、３０８が対で配置されている。一対のプーリ３０６、３０８の間には、無端の駆動ベルト３１０が巻き掛けられており、ブラケット７２の連結部７２Ｂが、この駆動ベルト３１０に連結されている。
【０１０６】
一方のプーリ３０６には、駆動機構８４のモータ９６からの駆動力が伝達されるようになっており、モータ９６が駆動すると、プーリ２０６と共に駆動ベルト３１０が回転駆動される。これにより、連結部７２Ｂが光源部６４と共にガイドシャフト３０２に案内されて副走査方向へ移動される。
【０１０７】
連結部７２Ｂの光源部６４と反対側の端部は、下方へ向けて屈曲された可動部３１２とされており、この可動部３１２に光源部６４のハロゲンランプ７６やファン８０へ電力を供給するためのケーブル３１４の一端が連結されている。このケーブル３１２は、略Ｕ字状となるように中間部が屈曲された状態でケーシング２００の上面に沿って延設されており、他端が固定部３１６に連結され、ここからさらに、画像読取／記録装置１０のコントローラ２０９に接続されている（図示省略）。
【０１０８】
ケーブル３１４の両端が接続される可動部３１２と固定部３１６は、ケーシング２００の上面からの高さが略同じとなっており、可動部３１２はケーシング２００の上面からの高さが略一定となるようにガイドシャフト３０２に沿って移動される。また、ケーブル３１４は、可動部３１２がガイドシャフト３０２に沿って移動されると、中間部の屈曲位置を変えながら可動部３１２に追従して移動する。
【０１０９】
なお、ケーブル３１４は、中間部が垂れ下がることがない所定の剛性が得られるように種々の補強が施されていることことが好ましい。この補強の方法は、従来公知の種々の方法を適用でき、本実施の形態では、詳細な説明を省略する。
【０１１０】
このように構成された移動機構３００は、ケーシング３１８に収容されている。移動機構３００は、可動部３１２と固定部３１６が略同じ高さとなっており、また、ケーブル３１４がケーシング２００の上面に沿って延設されているため、ケーブル３１４の移動スペースをケーシング２００の上方へ向けて大きく確保する必要がない。このために、ケーシング３１８の高さ寸法が抑えられている。
【０１１１】
なお、このケーシング３１８の高さ寸法は、Ａ４サイズの原稿を読取ることができる画像読取／記録装置１０では、約４０mm以下であることが好ましい。
【０１１２】
画像読取／記録装置１０に取付けられる台座２３４は、このケーシング３１８の高さに合わせられている。
【０１１３】
また、このケーシング３１８には、押さえカバー２０４の脚２３６が挿入される挿通孔２３２が形成されており、挿通孔２３２へ脚２３６を挿入することにより。ケーシング３１８を介して押さえカバー２０４を画像読取／記録装置１０へ取付け可能となっている。
【０１１４】
このように構成された移動機構３００では、ガイドシャフト３０２、無端ベルト３１０がケーシング２００の上面に沿って配置され、また、ケーブル２１４がケーシング２００の上面に沿って引き回され、また、ケーシング２００の上面と並行に移動される。したがって、可動部２１２の移動に追従してケーブル２１４が移動したときに、ケーブル２１４は、ケーシング２００から上方に向けて突出することがなく、この移動機構３００を収容するケーシング３１８は、ケーブル３１４の移動スペースを考慮して高くする必要がない。
【０１１５】
すなわち、ケーブル３１４をケーシング２００の上面に沿って引き回すことにより、移動機構３００を収容するケーシング３１８の高さ寸法（ケーシング２００の上面からの高さ寸法）を抑えることができる。
【０１１６】
これによって、このケーシング２１８の外形形状と略一致された台座２３４が、ケーシング２００から大きく突出して違和感を生じさせることがない。
【０１１７】
また、台座２３４から外した押さえカバー２０４は、このケーシング２１８へ取付けることができる。したがって、駆動機構３００を収容するケーシング２１８を備えた透過原稿用光源装置を画像読取／記録装置１０に取付けるために、新たな押さえカバーを用意する必要がなく、一つの押さえカバー２０４を有効に使用することができる。
【０１１８】
なお、以上説明した本実施の形態は、本発明の構成を限定するものではない。本実施の形態では、画像読取／記録装置１０を用いて説明したが、本発発明は、反射原稿に記録されている画像に応じた画像を記録材料に記録すると共に、透過原稿用光源装置を取付けることにより、反射原稿のみならず透過原稿の画像に応じた画像を記録材料に形成する種々の構成の画像形成装置に適用することができる。また、透過原稿用光源装置は、本実施の構成に限らず、種々の構成のものを用いることができる。
【０１１９】
【発明の効果】
以上説明した如く、本発明によれば、透過原稿用光源ユニットの取付け位置に、光源を走査方向に移動させる移動機構を収容するケーシングの形状に合わせた台座を設け、この台座に押さえカバーを取付けているため、この台座に替えて透過原稿装置を取付けることができると共に、押さえカバーをそのまま用いることができる。
【０１２０】
また、ケーシングの上面に形成した凹部内に開口を設け、この開口から透過原稿用光源装置の底面に設けた脚部を挿入し、脚部をケーシング内部のフレームに固定するようにしているため、ケーシングの上面に透過原稿用光源装置の底面の形状に合わせた大きな開口を形成することによる強度低下を防止することができる。また、透過原稿用光源装置をケーシングの上面に嵌め込むように取付けるため、透過原稿用光源装置が、ケーシングが突出して邪魔になってしまうことがないと共に、透過原稿用光源装置を取付けることによる外観品質の低下を防止することができると言う優れた効果が得られる。
【図面の簡単な説明】
【図１】本実施の形態に適用した画像読取／記録装置を示す概略構成図である。
【図２】画像読取／記録装置の上面を示す概略斜視図である。
【図３】台座への押さえカバーの取付けを示す副走査方向側から見た概略図である。
【図４】画像読取／記録装置の上面の透過原稿用光源装置及びフイルムスキャナの配置を示す概略斜視図である。
【図５】第１の実施の形態に適用した透過原稿用光源装置を副走査方向側から見た概略構成図である。
【図６】透過原稿用光源装置の駆動部の概略構成を示す要部斜視図である。
【図７】移動機構のケーブルとプーリの移動を示す概略図である。
【図８】フイルムスキャナの取付け位置近傍を示すケーシングの要部断面図である。
【図９】第２の実施の形態に適用した移動機構を示す概略斜視図である。
【図１０】第２の実施の形態に適用した移動機構を副走査方向側から見た概略図である。
【符号の説明】
１０    画像読取／記録装置（画像形成装置）
１２    フレーム
１６    感光材料
６０    透過原稿用光源装置
６２    フィルムスキャナ（透過原稿読取装置）
６４    光源部
６６    駆動部
６８    ケーシング
７２    ブラケット
８２    移動機構
８６    挿通孔
２００    ケーシング（本体ケーシング）
２０２    プラテンガラス
２０４    押さえカバー
２３２    脚
２３４    台座
２３６    挿入孔
２６６    凹部
２６８    化粧カバー
２７０    開口部（小開口部）
２７２    脚部
３００    移動機構
３１２    可動部
３１４    ケーブル
３１６    固定部
３１８    ケーシング
ＳＣＮ    スキャナ部
ＰＲＴ    プリンタ部
【図１】
0003718032.tif 000002
【図２】
0003718032.tif 000003
【図３】
0003718032.tif 000004
【図４】
0003718032.tif 000005
【図５】
0003718032.tif 000006
【図６】
0003718032.tif 000007
【図７】
0003718032.tif 000008
【図８】
0003718032.tif 000009
【図９】
0003718032.tif 000010
【図１０】
0003718032.tif 000011